(57)【要約】【課題】  使い勝手が良い犬の糞取り器を提供する。【解決手段】  長さ方向に伸縮可能な多段の柄１と、いずれもほぼ長円形状であって互いに重なる位置関係にありかつ犬の糞取り器の本体を構成している固定枠２及び可動枠３と、両枠で開口縁部が着脱可能に挟持される糞回収袋４とからなり、可動枠３は固定枠２内に係止部２１を介して離脱可能に係合され、かつ連結部３１を回転中心として固定枠２上を起倒可能に連結されており、柄１の先端部が固定枠の軸受け部２２を回転中心として連結され、この軸受け部を基点として犬の糞取り器の本体側に折り畳み可能かつ固定枠に並ぶ位置まで回転可能であり、固定枠に並ぶ位置における水平状態が維持可能である。【選択図】        図１
0003108945.tif 000002
【実用新案登録請求の範囲】
【請求項１】
多段の柄部からなる長さ方向に伸縮可能な柄と、いずれも平面形状が内部に閉空間を有し、互いに重なる位置関係にありかつ犬の糞取り器の本体を構成している固定枠及び可動枠と、両枠で着脱可能に支持される糞回収袋とからなり、
上記固定枠は内周に沿って係止部を形成し、軸受け部を設けてあり、
上記可動枠は上記係止部に離脱可能に係合され、かつ連結手段を回転中心として上記固定枠上を起倒可能に連結されており、
上記柄は、その先端部が上記固定枠の軸受け部を回転中心として連結され、上記軸受け部を基点として犬の糞取り器の本体側に折り畳み可能かつ固定枠に並ぶ位置まで回転可能であり、位置保持手段により上記固定枠に並ぶ位置における水平状態が維持可能であり、
上記糞回収袋は、上記固定枠と可動枠との間で上記係止部を介して開口縁部が挟まれる状態で支持されるものである
ことを特徴とする犬の糞取り器。
【請求項２】
柄は、最先端に位置する柄部に軸受け部に連結するための接続体を取り付けてあり、
連結手段は、固定枠に設けてある軸受け凹部と、可動枠に設けてあって上記軸受け凹部内に差し込まれている連結部と、この連結部に設けてある連結突起とからなり、上記可動枠の連結部が軸受け凹部に対して連結突起を中心として回転可能である
ことを特徴とする請求項１記載の犬の糞取り器。
【請求項３】
柄は、最先端に位置する柄部に軸受け部に接続するための接続体を取り付けてあり、
固定枠には軸受け部と対向側に軸受け凹部を設けてあり、
上記軸受け部は上記接続体とこの接続体に設けてある接続突起を回転中心として連結されており、
連結手段は、上記軸受け凹部と、可動枠に設けてあって上記軸受け凹部内に差し込まれている連結部と、この連結部に設けてある連結突起とからなり、上記可動枠の連結部が軸受け凹部に対して連結突起を中心として回転可能である
ことを特徴とする請求項１記載の犬の糞取り器。
【考案の詳細な説明】
【技術分野】
【０００１】
本考案は、脱糞後に糞が地上に落ちる前に回収することができる犬の糞取り器に関するものである。
【背景技術】
【０００２】
例えば特開２００４−２４８６６０号公報に記載の犬の糞取り器（以下「従来例１」という。）は蓋の付いた容器に取っ手を取り付けているものであり、犬を連れて散歩をしている最中に、犬が糞をしそうとなった時素早く蓋を開けてお尻の下に持って行き、糞を容器内に敷いてある紙上にキャッチして蓋を閉めて持ち帰り、その後容器をトイレに持って行き、紙と共に糞を処理するものである。従来例１によれば、手を汚すことなく、糞処理ができるものの、糞が軟らかい場合、下痢状態の場合には容器内が汚れて洗浄を必要として、取り扱いが面倒な場合がある。
上記課題を解決するための犬の糞取り器として、例えば特開２００３−２５０３７７号公報、特開２００３−９７０７号公報及び実用新案登録第３０８７７８０号公報などに記載のもの（以下「従来例２」、「従来例３」及び「従来例４」という。）が提案されている。
従来例２は、半円形の枠に止め具用の突起部を設け、上記枠に柄を設け、枠の内側に切り込みを設け、上記枠に引っ掛け部を設けているものであり、使用時には枠にレジ袋などの空袋を取り付け、この空袋を突起部で固定し、犬の糞が地面に落ちる前に直接受け取り、その後袋の口元を縛って、切り込み部分に挟み込むようにして糞を処理するのである。
従来例３は、若干長めに設定された持ち手の先端に二つの輪で重なるように構成された袋取り付け部を設け、袋を上下の袋取り付け部間に装着するものであり、使用時には便意をもよおした犬の尻から直接、糞を回収するものである。
従来例４は、柄の先端に金属製線材を折り畳み加工した２つのリングである固定リングと可動リングを設け、上記柄の先端側に取り付けている金具に可動リングの後端部を支持軸を中心として回動可能に支持し、糞回収用の袋を固定リングと、この固定リングの外径よりわずかに小さい内径の可動リングとの間で挟むものである。
【特許文献１】特開２００４−２４８６６０号公報
【特許文献２】特開２００３−２５０３７７号公報
【特許文献３】特開２００３−９７０７号公報
【特許文献４】実用新案登録第３０８７７８０号公報
【考案の開示】
【考案が解決しようとする課題】
【０００３】
従来例２では、空袋の装着がし易いものの、突起部の存在がその取り扱いを慎重にならざるを得ず、取り扱いの簡便性に改善の余地があり、また柄が短いので携帯に便利であるが、回収時に犬に接近して腰を曲げなくてはらず、回収操作が面倒となる課題がある。
従来例３では、持ち手が若干長く設定されているために、回収操作がしやすいものの、携帯に不便である課題が残り、使い勝手に改善の余地がある。
従来例４では、柄が短いので、携帯に便利であるが、回収操作が面倒となり、使い勝手に改善の余地がある。
本考案の目的は、使い勝手が良い犬の糞取り器を提供することにある。
【課題を解決するための手段】
【０００４】
本考案の第１の特徴は、多段の柄部からなる長さ方向に伸縮可能な柄と、いずれも例えば円形、半円形、長円形などのような平面形状が内部に閉空間を有し、互いに重なる位置関係にありかつ犬の糞取り器の本体を構成している固定枠及び可動枠と、両枠で着脱可能に支持される糞回収袋とからなることにある。上記固定枠は内周に沿って係止部を形成し、軸受け部を設けてあり、上記可動枠は上記係止部に離脱可能に係合され、かつ連結手段を回転中心として上記固定枠上を起倒可能に連結されており、上記柄は、その先端部が上記固定枠の軸受け部を回転中心として連結され、上記軸受け部を基点として犬の糞取り器の本体側に折り畳み可能かつ固定枠に並ぶ位置まで回転可能であり、位置保持手段により上記固定枠に並ぶ位置における水平状態が維持可能であり、上記糞回収袋は、上記固定枠と可動枠との間で上記係止部を介して開口縁部が挟まれる状態で支持されるものである。
本考案の第２の特徴は、第１の特徴を前提として、柄が最先端に位置する柄部に軸受け部に連結するための接続体を取り付けてあり、連結手段が固定枠に設けてある軸受け凹部と、可動枠に設けてあって上記軸受け凹部内に差し込まれている連結部と、この連結部に設けてある連結突起とからなり、上記可動枠の連結部が軸受け凹部に対して連結突起を中心として回転可能であることにある。
本考案の第３の特徴は、第１の特徴を前提として、柄が最先端に位置する柄部に軸受け部に連結するための接続体を取り付けてあり、固定枠には軸受け部と対向側に軸受け凹部を設けてあり、上記軸受け部は上記接続体とこの接続体に設けてある接続突起を回転中心として連結されており、連結手段は、上記軸受け凹部と、可動枠に設けてあって上記軸受け凹部内に差し込まれている連結部と、この連結部に設けてある連結突起とからなり、上記可動枠の連結部が軸受け凹部に対して連結突起を中心として回転可能であることにある。
【考案の効果】
【０００５】
本考案によれば、柄は長さ方向に伸縮可能であるから糞の回収時に柄を伸ばすことによって回収操作が容易となり、反対に不使用時には収縮することができるから、携帯に便利であり、使い勝手が良い。
本考案によれば、柄は固定枠及び可動枠側へ折り畳み可能であるから、犬の糞取り器をコンパクトに収納することができ、この柄が長さ方向に伸縮可能であることと相俟って携帯に便利であり、使い勝手が良い。
【考案を実施するための最良の形態】
【０００６】
図１〜図４に示す本考案に係る犬の糞取り器は、長さ方向に伸縮可能な柄１と、この柄の先端側に配置してあって糞取り器本体を構成している固定枠２及び可動枠３と、両枠に着脱可能に支持される糞回収袋４とからなるものである。
【０００７】
図１〜図６において、柄１は多段の柄部からなり、図に示す例では４段を形成している第１の柄部１１、第２の柄部１２、第３の柄部１３及び第４の柄部１４からなるテレスコピック構造である。第１の柄部１１の先端部には接続体１５が取り付けられている。図５及び図６に示すように接続体１５の先端側のほぼ円板状の挿入部１５ａにはその外周に規制突起１６を突出してあり、挿入部の両側面に接続突起１７を対向して設けてある。接続体１５は、接続突起１７を介して後述する固定枠２の第１の軸受け部２２内において回転可能に連結されている。
【０００８】
固定枠２及び可動枠３について説明する。
図２及び図４に示すように固定枠２及び可動枠３は、いずれも平面形状が内部に閉空間を有するものであり、図２に示す例ではほぼ長円形状である。
図７〜図９に示すように固定枠２は断面Ｌ形に形成され、その内側に内周に沿って係止部２１を形成してある。固定枠２には、互いに対向位置関係に配置してある第１の軸受け部２２及び第２の軸受け部２３をそれぞれ設けてある。
図１〜図３に示す第１の軸受け部２２は、固定枠２の図右端側の接続基部２ａの下部に下方に向けて突出されている対向する軸受板によって構成されている。第１の軸受け部２２の軸受板間が受け溝２４となっており、この受け溝の天井部に突起状のストッパ２５を下方に向けて突出してある。第１の軸受け部２２には受け溝２４と交差するように保持孔２６（図９）を貫通してある。第１の軸受け部２２には柄１の接続体１５が連結されている。
【０００９】
ここで、固定枠２の第１の軸受け部２２と柄１の接続体１５との連結構造について図１〜図６を参照して説明する。
柄１の接続体１５の挿入部１５ａは固定枠２の第１の軸受け部２２の受け溝２４に差し込まれており、挿入部の両接続突起１７が保持孔２６に回転可能に係合されている。接続体１５は接続突起１７を回転中心として第１の軸受け部２２に連結されている。接続体１５はその外周の規制突起１６がその回転角度に応じて受け溝２４の天井部のストッパ２５を乗り越えることができる。規制突起１６がストッパ２５に接触することにより、接続体１５の回転動作が規制される。
柄１は、上記の連結構造によって、図１に示すように固定枠２に対してその下側に第１の軸受け部２２を回転中心（基点）として折り畳み可能であり、また図３に示すように固定枠と並ぶ位置まで回転可能であって位置保持手段である規制突起１６とストッパ２５とによって水平状態が維持可能となる。
【００１０】
固定枠２の第２の軸受け部２３は、図８及び図９に示すように第１の軸受け部２２の位置とは反対側（図９左側端）の固定枠の上部に設けられている軸受け凹部である。軸受け凹部２３内の対向する内壁には保持孔２７を形成してある。
固定枠２の上部には第２の軸受け部２３と対向する側（図９右側）に操作用の孔部２８を設けてある。孔部２８は、この孔部内に飼い主の指を入れて可動枠３の端部を引っ掛けながら上側に持ち上げる操作をしやすくするためのものである。
【００１１】
図１、図４及び図７に示すように、可動枠３は固定枠２内に嵌め込まれており、固定枠の係止部２１に離脱可能に係合されている。可動枠３は、図２、図１０及び図１１に示すように固定枠２の軸受け凹部２３側に突出した連結部３１を設けてある。連結部３１の両側壁に連結突起３２を突出してある。
可動枠３は連結部３１を通じて固定枠２に連結されている。
【００１２】
ここで、可動枠３の連結部３１と固定枠２の軸受け凹部２３との連結構造について説明する。
可動枠３の連結部３１は固定枠２の軸受け凹部２３内に差し込まれており、連結突起３２が軸受け凹部２３の保持孔２７に保持されている。可動枠３の連結部３１は、軸受け凹部２３に対して連結突起３２を中心として回転可能に連結されている。
このため、可動枠３は固定枠２に連結部３１を中心として起倒可能に連結されている（図１）。
【００１３】
糞回収袋４はスーパーマーケット、コンビニエンスストアなどのビニール製などの袋が省資源などの観点から望ましいが、糞を回収することができれば紙、ポリエチレン、塩化ビニールなどその材質、大きさなどは問わない。
糞回収袋４は図３及び図７に示すように固定枠２と可動枠３との間で、係止部２１を介して糞取り袋の開口縁部が挟まれた状態で支持される。
【００１４】
次に、犬の糞取り器の使用方法について説明する。
予め、糞回収袋４を固定枠２と可動枠３とに支持させ、その開口縁部を両枠で挟んでおく。支持方法は、孔部２８内に飼い主の指を入れて、図１鎖線に示すように可動枠３の端部を引っ掛けながら上側に持ち上げ、可動枠を起立させ、この状態で糞回収袋４をその開口部を広げながら固定枠２内に差入れて、その後糞回収袋の開口縁部を折り曲げて固定枠を覆ってから、可動枠を倒して、固定枠の係止部２１に係合させるものである。
犬の糞取り器の携帯時においては、柄１を図１に示すように固定枠２及び可動枠３の下側に折り畳んだ状態にする。すなわち、固定枠２の第１の軸受け部２２に対して柄１の先端側の接続体の接続突起１７を中心として時計方向に回して、柄を固定枠２の下側に位置に移動させる。この時、柄１の第１、第２、第３及び第４の柄部１１，１２，１３，１４は収縮した状態にしてある。
このような操作により、犬の糞取り器をコンパクト化した状態で持ち運びが可能となり、犬の糞取り器が犬の散歩をする飼い主の負担にならない。
散歩中に犬が糞をする姿勢をとった時、柄１を持って、固定枠２に対して接続突起１７を中心として図１反時計方向に回して、図３及び図４に示すように固定枠に並ぶ位置まで回転移動させると、柄が水平の位置で回転が規制されるから、水平状態が維持される。回転と同時に又は回転後に柄１の第４の柄部１４を外側へ引っ張ると、第１、第２及び第３の柄部１１，１２，１３も同一方向に引っ張られるから、柄が延びて長くなり、あたかも飛んでいる蝶を採る虫取り網のようになる。
この段階で、犬の飼い主は立ったままの状態で、柄１を持って固定枠２側を犬の尻の下側へ差し出せば、脱糞した糞は自動的に糞回収袋４内へ落ち込み、糞を空中で回収することができる。
散歩後には、可動枠３を連結部３１を中心として図１鎖線に示すように反時計方向に回転させて、糞回収袋４を固定枠２から外して、所定場所に糞を糞回収袋と共に廃棄する。
柄１が反時計方向へ移動する過程では、接続体１５の外周の規制突起１６は図５に示す位置から反時計方向へ移動してやがて図３に示すように受け溝２４の天井部のストッパ２５を乗り越え、接続体の端面１５ｂと固定枠２の接続基部２ａの端面２ｂとが接触した段階で回転が停止され（図３に示す部分拡大図参照）、また反対に時計方向の回転は規制突起１６がストッパ２５によって規制されるから、柄の水平状態が維持される。
柄１の水平状態から時計方向にストッパ２５による規制力以上に負荷をかければ、規制が解除され、規制突起１６がストッパ２５を乗り越えて時計方向に回転して、最終的には図１に示すように固定枠２の下側に折り畳まれる。
【００１５】
図１及び図２に示す犬の糞取り器によれば、柄１を延ばした状態で犬の糞を回収することができるので、飼い主は立ったままの楽な姿勢で回収操作ができ、特に老人や体の不自由な者にとっても好都合である。そして柄１は長さ方向に収縮可能であってかつ固定枠２及び可動枠３側へ折り畳むことができるから、コンパクトな収納携帯が可能となり、持ち運びが簡便である。
【００１６】
図１に示す固定枠２と可動枠３との連結手段は、軸受け凹部２３、保持孔２７、連結部３１、連結突起３２で構成されているが、この例に限られず、ヒンジを用いて固定枠と可動枠を連結しても良く、また連結の位置は図右側であっても良い。
【図面の簡単な説明】
【００１７】
【図１】本考案に係る犬の糞取り器を示す一部断面正面図である。
【図２】本考案に係る犬の糞取り器を示す平面図である。
【図３】本考案に係る犬の糞取り器の使用状態を示す一部断面正面図である。
【図４】本考案に係る犬の糞取り器の使用状態を示す平面図である。
【図５】本考案に係る犬の糞取り器における柄の主要部を示す拡大正面図である。
【図６】本考案に係る犬の糞取り器の柄の主要部を示す拡大平面図である。
【図７】図４のＶＩＩ−ＶＩＩ線拡大断面図である。
【図８】本考案に係る犬の糞取り器における固定枠の拡大平面図である。
【図９】図８のＩＸ−ＩＸ線断面図である。
【図１０】本考案に係る犬の糞取り器における可動枠の拡大正面図である。
【図１１】本考案に係る犬の糞取り器における可動枠の拡大平面図である。
【符号の説明】
【００１８】
１                        柄
１１，１２，１３，１４    柄部
１５                      接続体
１６                      規制突起（位置保持手段）
１７                      接続突起
２                        固定枠
２１                      係止部
２２                      第１の軸受け部（軸受け部）
２３                      第２の軸受け部である軸受け凹部（連結手段）
２５                      ストッパ（位置保持手段）
２７                      保持孔（連結手段）
３                        可動枠
３１                      連結部（連結手段）
３２                      連結突起（連結手段）
４                        糞回収袋
【図１】
0003108945.tif 000003
【図２】
0003108945.tif 000004
【図３】
0003108945.tif 000005
【図４】
0003108945.tif 000006
【図５】
0003108945.tif 000007
【図６】
0003108945.tif 000008
【図７】
0003108945.tif 000009
【図８】
0003108945.tif 000010
【図９】
0003108945.tif 000011
【図１０】
0003108945.tif 000012
【図１１】
0003108945.tif 000013